(57)【要約】【課題】異なる無線アクセス方式間でのハンドオーバ遅延を抑制するハンドオーバ方法および無線通信システを提供する。【解決手段】複数の無線アクセス方式の少なくとも１つがそれぞれ設定された複数の基地局（２０ａ、２０ｂ）と、複数の無線アクセス方式で通信可能な少なくとも１つの移動局と、を含む無線通信システムにおける基地局間ハンドオーバ方法であって、移動局が第１基地局（２０ａ）から第２基地局（２０ｂ）へ移動する前に、第２基地局は、当該第２基地局との同期を確立するための通信に関する情報を含む転送情報を移動局へ通知し、移動局は第１基地局から第２基地局へ移動する前に転送情報から第２基地局との同期を確立するための通信に関する情報を認識する。【選択図】  図２
2012231517.tif 000002
【特許請求の範囲】
【請求項１】
複数の無線アクセス方式の少なくとも１つがそれぞれ設定された複数の基地局と、前記複数の無線アクセス方式で通信可能な少なくとも１つの移動局と、を含む無線通信システムにおける基地局間ハンドオーバ方法であって、
前記移動局が第１基地局から第２基地局へ移動する前に、前記第２基地局は、当該第２基地局との同期を確立するための通信に関する情報を含む転送情報を前記移動局へ通知し、
前記移動局は前記第１基地局から前記第２基地局へ移動する前に前記転送情報から前記第２基地局との同期を確立するための通信に関する情報を認識する、
ことを特徴とするハンドオーバ方法。
【請求項２】
前記第２基地局は、前記第１基地局から受信したハンドオーバ要求に対して、ハンドオーバ受入を示すハンドオーバ受入情報に前記転送情報を含めて前記第１基地局へ返信し、前記転送情報が前記第１基地局から前記移動局へ送信されることを特徴とする請求項１に記載のハンドオーバ方法。
【請求項３】
前記第２基地局は、前記第１基地局から受信したHANDOVER REQUESTメッセージに対するHANDOVER REQUEST ACKNOWLEDGEメッセージの一部として前記転送情報を前記第１基地局へ送信し、
前記第１基地局は、前記HANDOVER REQUEST ACKNOWLEDGEメッセージを受信すると、前記転送情報を含むHANDOVER COMMANDを前記移動局へ送信する、
ことを特徴とした請求項１または２のいずれかに記載のハンドオーバ方法。
【請求項４】
複数の無線アクセス方式を含む無線通信システムにおける基地局であって、
前記複数の無線アクセス方式のうちの少なくとも１つで通信可能な通信手段と、
移動局が他の基地局から当該基地局へ移動してくる前に、当該基地局との同期を確立するための通信に関する情報を含む転送情報を前記移動局へ通知する通知手段と、
を有することを特徴とする基地局。
【請求項５】
前記通知手段は、前記他の基地局から受信したハンドオーバ要求に対して、ハンドオーバ受入を示すハンドオーバ受入情報に前記転送情報を含めて前記他の基地局へ返信することを特徴とする請求項４に記載の基地局。
【請求項６】
前記通知手段は、前記他の基地局から受信したHANDOVER REQUESTメッセージに対するHANDOVER REQUEST ACKNOWLEDGEメッセージの一部として前記転送情報を前記他の基地局へ送信する
ことを特徴とした請求項５または６のいずれかに記載の基地局。
【請求項７】
複数の無線アクセス方式の少なくとも１つがそれぞれ設定された複数の基地局と通信可能な移動局において、
第１基地局から第２基地局へ移動する前に、当該第２の基地局との同期を確立するための通信に関する情報を含む転送情報を、前記第１基地局を介して受信する手段と、
前記転送情報に含まれる情報に従って前記第２基地局との同期を確立する手段と、
を有することを特徴とする移動局。
【請求項８】
前記移動局は、前記第２の基地局が、ハンドオーバ受入を示すハンドオーバ受入情報により送信した前記転送情報を、前記第１の基地局を介して受信することを特徴とする請求項７に記載の移動局。
【請求項９】
複数の無線アクセス方式の少なくとも１つがそれぞれ設定された複数の基地局と、前記複数の無線アクセス方式で通信可能な少なくとも１つの移動局と、を含む無線通信システムであって、
前記基地局は、
前記複数の無線アクセス方式のうちの少なくとも１つで通信可能な通信手段と、
移動局が他の基地局から当該基地局へ移動してくる前に、当該基地局との同期を確立するための通信に関する情報を含む転送情報を前記移動局へ通知する通知手段と、を含み、
前記移動局は、
前記基地局へ移動する前に、当該基地局との同期を確立するための通信に関する情報を含む転送情報を、前記他の基地局を介して受信する手段と、
前記転送情報に含まれる情報に従って前記基地局との同期を確立する手段と、を含む
ことを特徴とする無線通信システム。
【請求項１０】
前記通知手段は、前記他の基地局から受信したハンドオーバ要求に対して、ハンドオーバ受入を示すハンドオーバ受入情報に前記転送情報を含めて前記他の基地局へ返信することを特徴とする請求項９に記載の通信システム。
【発明の詳細な説明】
【技術分野】
【０００１】
本発明は複数の基地局と移動局とを含む無線通信システムに係り、特に異なる無線アクセス方式間のハンドオーバ方法、そのための基地局および移動局に関する。
【背景技術】
【０００２】
現在、第３世代携帯電話方式（３Ｇ）、固定無線通信の標準規格（ＷｉＭＡＸ）、無線ＬＡＮの標準規格（ＷｉＦｉ）など様々な無線伝送方式が提案され実用化されているが、それぞれが提供する伝送速度やカバレッジは様々である。一般に、伝送速度とカバレッジとはトレードオフの関係にあるため、単一の無線伝送システムで高い伝送速度と広いカバレッジとを同時に得ることはできない。そのために、種々の状況に応じて適切な無線伝送方式を設定することで異なる無線伝送方式のセル同士が隣接する場合がある。このように複数の無線伝送方式が混在する無線通信システムにおいて、それぞれの無線伝送方式で動作可能な無線端末が１つの無線伝送方式のセルから別の無線伝送方式のセルへ移動する際のハンドオーバ技術がいくつか提案されている。
【０００３】
たとえば特許文献１に開示された移動体通信システムでは、移動端末が利用可能な全ての通信システム（無線伝送方式）の無線信号を受信し、その周波数から各通信システムの種類を特定すると共に通信品質ＱｏＳを求め、通信中の基地局（ソース基地局）へ報告する。これに応答してネットワーク側から切替先の基地局（ターゲット基地局）が通知されると、移動端末はソース基地局およびターゲット基地局の両方の間でそれぞれ無線回線を確保し、ターゲット側の無線伝送方式へ切り替える（段落００４２、図３、図４）。
【０００４】
また、非特許文献１に記載されたInter RAT (Radio Access Technology)ハンドオーバでは、無線伝送方式に関する情報（無線リソース構成やターゲットセルシステム情報などを含む。）がターゲットシステムから通信中のソースシステムを通して移動端末へ提供され、移動端末での無線伝送方式の切替が可能となる（10.2.2 Handoverの項を参照）。
【先行技術文献】
【特許文献】
【０００５】
【特許文献１】特開２００１−５４１６８号公報
【非特許文献】
【０００６】
【非特許文献１】３ＧＰＰ  ＴＳ３６．３００  Ｖ８．３．０（２００７−１２）
【発明の概要】
【発明が解決しようとする課題】
【０００７】
しかしながら、移動局が受信した下りリンク無線信号の周波数に基づいて送信元の無線伝送方式の種類を特定する方法では、複数の無線伝送方式が空き周波数を使用する可能性があるコグニティブ無線システムのような場合には、使用されている周波数から無線伝送方式を特定することができない。
【０００８】
また、無線ＬＡＮ（ＩＥＥＥ８０２.１１）のような単一の無線通信システムにおいて、マルチキャリアのＯＦＤＭ(Orthogonal Frequency Division Multiplexing)を用いるＩＥＥＥ８０２.１１ａおよび８０２.１１ｇやシングルキャリアを用いるＩＥＥＥ８０２.１１ｂなどの複数の無線アクセス方式が存在する場合、ＩＥＥＥ８０２.１１ｇと８０２.１１ｂが同一の周波数を用いるため、使用されている周波数帯から無線アクセス方式を識別することができない。
【０００９】
無線アクセス方式を識別する別の方法としては、基地局が一定間隔で送信する共通制御信号を受信し、その復調結果に基づいて無線伝送方式を識別することも可能である。しかしながら、共通制御信号の受信を待ってからターゲット基地局の無線伝送方式を識別するので、共通制御信号の送信間隔の２倍程度あるいはそれ以上の時間の遅延が生じてしまい、ハンドオーバ遅延の原因となる。
【００１０】
そこで本発明の目的は、異なる無線アクセス方式間でのハンドオーバ遅延を抑制するハンドオーバ方法および無線通信システムを提供することにある。
【課題を解決するための手段】
【００１１】
本発明によるハンドオーバ方法は、複数の無線アクセス方式の少なくとも１つがそれぞれ設定された複数の基地局と、前記複数の無線アクセス方式で通信可能な少なくとも１つの移動局と、を含む無線通信システムにおける基地局間ハンドオーバ方法であって、前記移動局が第１基地局から第２基地局へ移動する前に、前記第２基地局は、当該第２基地局との同期を確立するための通信に関する情報を含む転送情報を前記移動局へ通知し、前記移動局は前記第１基地局から前記第２基地局へ移動する前に前記転送情報から前記第２基地局との同期を確立するための通信に関する情報を認識することを特徴とする。
【発明の効果】
【００１２】
本発明により、異なる無線アクセス方式間でのハンドオーバ遅延を抑制することができる。
【図面の簡単な説明】
【００１３】
【図１】本発明の一実施形態による無線通信システムにおけるハンドオーバを説明するためのシステム構成図である。
【図２】本発明の一実施例による無線通信システムにおける基地局間ハンドオーバを説明するためのシーケンス図である。
【図３】本実施例で使用されるContext ConfirmおよびHO Commandに含まれる転送情報の一例を示す概略的フォーマット図である。
【図４】本実施例による無線通信システムにおける移動局の機能的構成を示すブロック図である。
【図５】本実施例による無線通信システムにおける基地局の機能的構成を示すブロック図である。
【発明を実施するための形態】
【００１４】
１．一実施形態
本発明の一実施形態による無線通信システムは、各セルにおいて複数の異なる無線アクセス方式のうち少なくとも１つがサポートされており、移動局はこれら複数の無線アクセス方式の少なくとも１つで通信が可能な無線送受信器を有するものとする。通信中の移動局が無線アクセス方式の異なるセル間を移動する場合、本発明によれば、ハンドオーバ先の無線アクセス方式を特定する情報がハンドオーバ処理の開始前にハンドオーバ先の基地局から移動局へ通知され、これによって高速ハンドオーバが可能となる。
【００１５】
図１は本発明の一実施形態による無線通信システムにおけるハンドオーバを説明するためのシステム構成図である。ただし、説明を簡略化するために、ここでは、同一の無線伝送方式で２つの異なる無線アクセス方式ＡおよびＢをサポートする無線通信システムを仮定し、各基地局でこれら２つの無線アクセス方式がサポートされているものとする。ただし、これに限らず、各基地局で少なくとも１つの無線アクセス方式がサポートされていればよい。ここでは、基地局２０ａおよび基地局２０ｂが同じ移動管理エンティティ／主ゲートウェイ（MME/S-GW）３０に接続されているものとする。
【００１６】
また、説明の都合上、２つの移動局１０および１１が基地局間ハンドオーバする場合を例示し、移動局１０および１１の各々は無線アクセス方式ＡおよびＢの両方で無線通信可能であるとする。移動局１０および１１が移動して基地局２０ａから基地局２０ｂへ接続を切り替えるものとすれば、基地局２０ａがハンドオーバ元のソース基地局、基地局２０ｂがハンドオーバ先のターゲット基地局となる。
【００１７】
本実施形態によれば、基地局間ハンドオーバが実行される前に、ターゲット基地局２０ｂから各移動局へ無線アクセス方式を特定する情報が通知される。たとえば、移動局１０には無線アクセス方式Ａを特定する情報が、移動局１１には無線アクセス方式Ｂを特定する情報がそれぞれ通知される。この情報は、後述するように、ハンドオーバ処理に必要な制御信号に乗せてターゲット基地局２０ｂからソース基地局２０ａを介して移動局１０および１１へ通知することができる。
【００１８】
同一の無線伝送方式で異なる無線アクセス方式を有する無線通信システムとしては、たとえばシングルキャリア方式とマルチキャリア方式の２種類の基地局が混在するシステム、あるいは、既に述べたように、無線ＬＡＮ（ＩＥＥＥ８０２.１１）のようなシステムにおいて、マルチキャリアのＯＦＤＭを用いるＩＥＥＥ８０２.１１ａ／８０２.１１ｇとシングルキャリアを用いるＩＥＥＥ８０２.１１ｂとの無線アクセス方式が混在する場合などがある。
【００１９】
以下、３ＧＰＰ  ＬＴＥ(Long Term Evolution)で提案されている無線通信システムを一例として、本発明の実施例を詳細に説明する。この場合、基地局はｅＮＢ、移動局はＵＥとそれぞれ記される場合もある。またハンドオーバ、上りリンクおよび下りリンクは、適宜、それぞれＨＯ、ＵＬおよびＤＬと略記する。
【００２０】
２．一実施例
２．１）ハンドオーバ手順
図２は本発明の一実施例による無線通信システムにおける基地局間ハンドオーバを説明するためのシーケンス図である。本実施例によれば、移動局１０および１１は、ソース基地局２０ａからそれぞれ受信したハンドオーバ開始コマンド(HANDOVER COMMANDまたはHO Command)からターゲット基地局２０ｂの上りリンク（ＵＬ）無線アクセス情報(UL Access Infoまたはuplink radio access scheme)を得て、ターゲット基地局２０ｂの無線アクセス方式をそれぞれ決定することができる。
【００２１】
まず、ステップ１において、ターゲット基地局２０ｂは下りリンク（ＤＬ）伝搬路推定用のリファレンス信号（DL RS）を送信し、それを移動局１０および１１がそれぞれ受信する。
【００２２】
ステップ２において、ソース基地局２０ａは、ソース基地局２０ａで移動局１０および１１にそれぞれ割り当てられた上りリンクリソースを示すソース基地局スケジューリング情報(UL allocationまたはSource UL Grant)を移動局１０および１１にそれぞれ送信する。
【００２３】
ステップ３において、移動局１０および１１は、基地局間ハンドオーバを行うにあたり、滞在しているソースセルの周辺セルに関するメジャメント・レポート（Measurement Report）をソース基地局２０ａへそれぞれ送信する。
【００２４】
ステップ４において、ソース基地局２０ａは、ターゲット基地局２０ｂへ、移動局１０および１１のＱｏＳ（Quality of Service）、Profile等をHANDOVER REQUESTメッセージ（Context Data)としてそれぞれ転送する。
【００２５】
ステップ５において、ターゲット基地局２０ｂは、移動局１０および１１の各々に関して、ハンドオーバ受入が可能であるか否かを判定し、その結果を示したハンドオーバ受入情報であるHANDOVER REQUEST ACKNOWLEDGEメッセージ（Context Confirm）を転送情報(transparent container)を含めてソース基地局２０ａへ転送する。転送情報は、ターゲット基地局２０ｂで使用すべき各移動局の無線アクセス方式を特定するための上りリンク無線アクセス情報(UL Access Info) およびターゲット基地局２０ｂに対するランダムアクセスのために割り当てられた時間および周波数の無線リソース情報を含む。移動局１０および１１にそれぞれ指定されるランダムアクセスのための時間および周波数はその少なくとも一方が異なっている。
【００２６】
ステップ６において、ソース基地局２０ａは、移動局１０および１１の各々に対して、ハンドオーバ受入情報とターゲット基地局２０ｂの上りリンク無線アクセス情報(UL Access Info)およびランダムアクセスのための無線リソース情報を含む転送情報とを含む制御信号であるハンドオーバ開始コマンド(HO Command)を送信する。なお、ハンドオーバ開始コマンド(HO Command)に含まれるターゲット基地局の上りリンク無線アクセス情報(UL Access Info)およびランダムアクセスのための無線リソース情報の具体例は後述する。
【００２７】
こうして移動局１０および１１は、受信したハンドオーバ開始コマンド(HO Command)に含まれる上りリンク無線アクセス情報(UL Access Info)から当該ターゲット基地局２０ｂで使用すべきそれぞれの上り無線アクセス方式を特定し、ランダムアクセスのための無線リソース情報からターゲット基地局２０ｂに対するランダムアクセスのために割り当てられた時間および周波数を特定することができる。
【００２８】
ステップ７において、移動局１０および１１の各々は、特定された上り無線アクセス方式に切り替え、上りチャネルＲＡＣＨ（Random Access Channel）を用いてランダムアクセス信号を送信しターゲット基地局２０ｂにアクセスする(UL Synchronization)。このランダムアクセス信号（ＲＡＣＨ信号）はステップ６で特定されたターゲット基地局２０ｂの上り無線アクセス方式に従って生成される。
【００２９】
ステップ８において、移動局１０および１１は、ターゲット基地局２０ｂから、送信タイミング調整値（TA: Timing Advance）とターゲット基地局２０ｂで割り当てられた上りリンクのリソース(UL allocation)とを示した上りターゲット基地局スケジューリング情報（Target UL Grant）をそれぞれ取得する。
【００３０】
ステップ９において、移動局１０および１１は、それぞれの送信タイミング調整値（TA）に従って送信タイミングを調整し、それぞれに割り当てられた上りリンクリソースでターゲット基地局２０ｂへ制御情報（HO Confirm）を送信し、ハンドオーバして来たことを通知する。
【００３１】
ステップ１０において、ターゲット基地局２０ｂは、制御信号（RELEASE RESOURCEあるいはHO Completed）をソース基地局２０ａへ送信し、ステップ１１において、ターゲット基地局２０ｂは、接続されているMME/Serving-GW３０へ移動局１０および１１が基地局間ハンドオーバにより、自分が管理するセルに移動してきたことを通知し（UE updated to MME/S-GW）、これにより基地局間ハンドオーバの動作が完了する。
【００３２】
２．２）転送情報(transparent container) 
図３は本実施例で使用されるContext ConfirmおよびHO Commandに含まれる転送情報の一例を示す概略的フォーマット図である。Context ConfirmおよびHO Commandに含まれる転送情報には、ターゲット基地局２０ｂの基地局ＩＤ（Target cell identity)、ターゲット基地局２０ｂにより指定された上りリンク無線アクセス方式およびＲＡＣＨ無線リソース（キャリア周波数および時間）などのパラメータが含まれる。たとえば上りリンク無線アクセス方式がＯＦＤＭＡとＳＣ−ＦＤＭＡの２つであれば、１ビットの情報でいずれかを特定することができる。また、３つあるいは４つの上りリンク無線アクセス方式であれば、２ビットの情報でいずれかを特定することができる。以下、図２に示すハンドオーバ動作を行う移動局および基地局の機能構成を詳細に説明する。
【００３３】
２．３）移動局
図４は本実施例による無線通信システムにおける移動局の機能的構成を示すブロック図である。移動局１０および１１は同様の構成を有するので、以下移動局として説明する。また、図４では図２に示すシーケンスに関連する機能のみを図示している。
【００３４】
移動局１０の受信部１０１は、基地局（ここでは２０ａ、２０ｂ）からの下り信号を受信し、ガードインターバル等を用いて自己相関値を算出して下りリンクの同期を確立すると、受信信号SRXをＲＳ分離部１０２、ＴＡ分離部１０６およびハンドオーバ開始コマンド（ＨＯcommand）分離部１０７へ出力する。なお、受信部１０１の受信動作は、接続している基地局の無線アクセス方式あるいは後述するターゲット基地局により指定された無線アクセス方式に従った受信動作を行うことができる。
【００３５】
ＲＳ分離部１０２は、受信信号SRXを入力してリファレンス信号SRSを分離しＳＮＲ測定部１０４およびＩＤ識別部１０３へ出力する。ＩＤ識別部１０３は、下りリファレンス信号SRSから当該リファレンス信号の送信元である基地局のＩＤ(基地局識別子)を識別し、基地局識別信号SIDをメジャメント・レポート（Measurement Report）生成部１０５へ出力する。ただし、基地局が複数のセクタを構成する場合、それらセクタをそれぞれ示すＩＤの一つを当該基地局識別子として用いる。ＳＮＲ測定部１０４は、下りリファレンス信号SRSから受信ＳＮＲ(Signal-to-Noise Ratio)を測定し、ＳＮＲ測定信号SSNをMeasurement Report生成部１０５へ出力する。
【００３６】
Measurement Report生成部１０５は、基地局識別信号SIDおよびＳＮＲ測定信号SSNからメジャメント・レポート（Measurement Report）SMRを生成する。この例では、Measurement Report生成部１０５は、移動局１０が在圏する基地局２０ａの周辺セル（ターゲットセル候補であるが、ここでは基地局２０ｂのセル）に関するメジャメント・レポートを作成する。こうしてターゲット基地局２０ｂに関するメジャメント・レポートSMRが送信部１０９へ出力され、ソース基地局２０ａへ送信される（図２のステップ３）。
【００３７】
ＴＡ分離部１０６は、受信信号SRXからＴＡ信号STAを分離して送信部１０９へ出力する。ＴＡ信号STAは、基地局により指定された上り送信タイミング調整値であり、これによって移動局１０と基地局との間で同期が確立してデータ通信が可能となる。
【００３８】
HO Command分離部１０７は受信信号SRXからHO Command信号を分離し、さらにHO Command信号から転送情報として含まれている上りリンク無線アクセス受信信号SWAとRACHリソース信号SRRとを抽出してＲＡＣＨ生成部１０８へ出力する。上りリンク無線アクセス受信信号SWAは、ターゲット基地局２０ｂの無線アクセス方式を特定するための情報を含み、RACHリソース信号SRRは、ターゲット基地局２０ｂに対するランダムアクセスのために割り当てられた時間および周波数のリソースを示す情報を含む。
【００３９】
ＲＡＣＨ生成部１０８は、RACHリソース信号SRRが示すリソースを用いて、上りリンク無線アクセス受信信号SWAの無線アクセス方式でランダムアクセス信号SRHを生成する。
【００４０】
送信部１０９は、上述したMeasurement Report SMRをソース基地局２０ａの無線アクセス方式で変調しＴＡ信号STAが示すタイミングで基地局へ送信する。また、送信部１０９は、上りリンク無線アクセス受信信号SWAの無線アクセス方式に従ってランダムアクセス信号SRHを変調し、RACHリソース信号SRRに従ったタイミングおよび周波数でターゲット基地局２０ｂへ送信する。
【００４１】
なお、上述した移動局のハンドオーバに関する機能は、ＣＰＵ等のプログラム制御プロセッサ上でプログラムを実行することにより実現することもできる。
【００４２】
２．４）基地局
図５は本実施例による無線通信システムにおける基地局の機能的構成を示すブロック図である。ただし、本実施例における基地局２０ａおよび２０ｂは同様の構成を有するので、以下、基地局２０として説明する。なお、図５においても、図２に示すシーケンスに関連する機能のみが図示されている。
【００４３】
基地局２０には、基地局ＩＤ生成部２０１およびＲＳ生成部２０２が設けられている。基地局ＩＤ生成部２０１は、当該基地局のＩＤ信号SIDBを生成してＲＳ生成部２０２へ出力し、ＲＳ生成部２０２は基地局ＩＤ信号SIDB毎に信号系列が異なるリファレンス信号SRSBを生成して送信部２１７へ出力する。したがって、各移動局は、このリファレンス信号SRSBを受信することで周辺セルの基地局を識別することが可能である。
【００４４】
また、基地局２０の受信部２０３は、移動局からの上り信号STXを受信し、受信信号SRXBをＲＡＣＨ分離部２０４、ハンドオーバ受入情報（ＨＯconfirm）分離部２０６およびMeasurement Report分離部２０８へそれぞれ出力する。
【００４５】
ＲＡＣＨ分離部２０４は受信信号SRXBからランダムアクセス信号SRHBを分離しＴＡ生成部２０５へ出力する。ＴＡ生成部２０５は、移動局から受信したランダムアクセス信号SRHBの受信タイミングに基づいて移動局と当該基地局２０との間で同期が確立するように移動局の送信タイミングを調整するＴＡ送信信号STCBを生成し送信部２１７へ出力する。
【００４６】
ＨＯconfirm分離部２０６は、受信信号SRXBから移動局とターゲット基地局との同期を確立したことを示すＨＯconfirm信号SHCBを分離し、ハンドオーバ準備完了情報（HO Completed）生成部２０７へ出力する。HO Completed生成部２０７は、ＨＯconfirm信号SHCBを入力すると、ハンドオーバの準備が完了したことを示すHO Completed信号SHOCBを生成して基地局間信号送信部２１６へ出力する。HO Completed信号SHOCBは、ターゲット基地局２０ｂからソース基地局２０ａに通知される信号である。
【００４７】
Measurement Report分離部２０８は受信信号SRXBから移動局１０が送信したMeasurement Reportを分離し、受信Measurement Report信号SMRBとしてコンテキストデータ（Context Data）生成部２１５へ出力する。
【００４８】
基地局間信号受信部２０９は他の基地局からの信号SRIBを受信し、基地局間制御信号SINBをコンテキスト受入情報（Context Confirm）分離部２１０、Context Data分離部２１１およびHO Completed分離部２１２へそれぞれ出力する。
【００４９】
Context Confirm分離部２１０は基地局間制御信号SINBからContext Confirm信号SHRBを分離し、HO Command生成部２１３へ出力する。HO Command生成部２１３はContext Confirm信号SHRBからHO Command信号SＨＯBを生成して送信部２１７へ出力する。HO Command信号SＨＯBはソース基地局２０ａから移動局へ送信される信号である。
【００５０】
Context Data分離部２１１は、ソース基地局２０ａから受信した基地局間制御信号SINBからContext Data信号SHQBを分離しContext Confirm生成部２１４へ出力する。Context Data信号SHQBは、ソース基地局２０ａからターゲット基地局２０ｂへの移動局のハンドオーバ要求を示す信号である。
【００５１】
Context Confirm生成部２１４は、Context Data信号SHQBの受信に対して当該移動局のハンドオーバを許可するかどうかを判断し、その判断結果と、当該移動局が使用すべき上りリンク無線アクセス方式を示す指定情報および当該基地局２０に対するランダムアクセスのための無線リソース情報を含む転送情報を一部として含めたContext Confirm信号SHPBを生成し、基地局間信号送信部２１６へ出力する。各移動局に指定される上りリンク無線アクセス方式は、基地局毎に予め決められた上りリンク無線アクセス方式あるいは複数の所定の無線アクセス方式から選択されたものである。本実施例による基地局２０では、上りリンク無線アクセス情報生成部２２０に予め決められた上りリンク無線アクセス方式あるいは複数の所定の無線アクセス方式が格納され、上りリンク無線アクセス信号SWABとしてContext Confirm生成部２１４へ出力される。
【００５２】
なお、上りリンク無線アクセス情報生成部２２０に複数の所定の無線アクセス方式が格納されている場合、Context Confirm生成部２１４は、各移動局のContext Data信号SHQBの受信に対して１つの無線アクセス方式を選択し、Context Confirm信号SHPBを生成することもできる。
【００５３】
この例では、当該基地局２０がターゲット基地局２０ｂであれば、ハンドオーバ受入許可情報、基地局２０により指定された上りリンク無線アクセス方式を示す情報などを含むContext Confirm信号SHPBが基地局間信号送信部２１６を通してソース基地局２０ａへ送信される（図２のステップ５）。
【００５４】
また、当該基地局２０がソース基地局２０ａであれば、Context Confirm分離部２１０が基地局間制御信号SINBからContext Confirm信号SHRBを分離し、HO Command生成部２１３がContext Confirm信号SHRBからHO Command信号SＨＯBを生成して送信部２１７を通して移動局へ送信される（図２のステップ６）。
【００５５】
Context Data生成部２１５は受信Measurement Report信号SMRBを入力し、ソース基地局２０ａからターゲット基地局２０ｂに移動局がハンドオーバをすることを要求する情報をContext Data信号SHTBとして生成する。当該基地局２０がソース基地局２０ａであれば、Context Data信号SHTBはターゲット基地局２０ｂに通知される（図２のステップ４）。
【００５６】
上述したように、基地局間信号送信部２１６は、HO Completed信号SHTB、Context Confirm信号SHPBおよびContext Data信号SHTBのいずれかを入力した場合に当該信号を他の基地局に送信する。
【００５７】
送信部４１７は、下りリンクRS信号SRSB、TA送信信号STCB、HO Command信号 SＨＯBのいずれかを入力した場合に、これらの信号を下り信号STXBとして移動局に送信する。
【００５８】
なお、HO Completed分離部２１２が基地局間制御信号SINBからHO Completed信号を分離し、そのHO Completed信号が移動局１０のハンドオーバ準備完了を示す場合にはハンドオーバの処理を完了する。
【００５９】
なお、上述した基地局のハンドオーバに関する機能は、ＣＰＵ等のプログラム制御プロセッサ上でプログラムを実行することにより実現することもできる。
【００６０】
２．５）効果
上述した本発明の一実施例により、１つの無線通信システムの基地局間で無線アクセス方式が異なる場合であっても、共通制御情報を受信することなく、ハンドオーバ先の無線アクセス方式を識別することができ、この結果、ハンドオーバ遅延を増加させることなく基地局間ハンドオーバを高速で実行することができる。
【産業上の利用可能性】
【００６１】
本発明は、たとえば３ＧＰＰ  ＬＴＥシステムにおいて基地局間で無線アクセス方式が異なる場合に適用可能である。
【符号の説明】
【００６２】
１０，１１  移動局
２０  基地局
２０ａ  ソース基地局
２０ｂ  ターゲット基地局
３０  MME/S-GW
１０１  受信部
１０２  RS分離部
１０３  ID識別部
１０４  SNR測定部
１０５  Measurement Report生成部
１０６  TA分離部
１０７  HO Command分離部
１０８  RACH生成部
１０９  送信部
２０１ 基地局ID生成部
２０２ RS生成部
２０３ 受信部
２０４ RACH分離部
２０５ TA生成部
２０６ ＨＯ  Confirm生成部
２０７ HO Completed生成部
２０８  Measurement Report生成部
２０９ 基地局間信号受信部
２１０ Context  Confirm分離部
２１１ Context Data分離部
２１２ HO Completed分離部
２１３ HO Command生成部
２１４ Context  Confirm生成部
２１５ Context  Data生成部
２１６ 基地局間信号送信部
２１７ 送信部
２２０ 上りリンク無線アクセス情報生成部
【図１】
2012231517.tif 000003
【図２】
2012231517.tif 000004
【図３】
2012231517.tif 000005
【図４】
2012231517.tif 000006
【図５】
2012231517.tif 000007